(57)【要約】【課題】ラスタライズ処理の履歴をオペレータに報告することができるラスタライズ処理装置、そのようなラスタライズ処理装置におけるラスタライズ処理レポート作成方法、およびラスタライズ処理レポート作成プログラムを提供する。【解決手段】入力されたページデータの形式に基づいて分類を行い、該分類に対応するページデータ処理手段を選択してページデータの処理を行い、該ページデータの処理内容に関するレポートを作成するに際して、該ページデータの形式に対応して選択されたページデータ処理手段が有する処理モジュールによる処理内容を含むレポートを作成するので、ページデータの処理を実行したページデータ処理手段、および該ページデータ処理手段が備えた処理モジュールに関わるラスタライズ処理の履歴をオペレータが確認することができる。【選択図】    図１
2005190034.tif 000002
【特許請求の範囲】
【請求項１】
ページ記述言語で記述されたページデータを変換して画像データを出力するラスタライズ処理装置であって、
前記ページデータを入力する入力手段と、
入力された前記ページデータの形式に基づいて、前記ページデータの分類を行うページデータ分類手段と、
前記ページデータの処理を行う処理モジュールを有する複数のページデータ処理手段と、
前記分類されたページデータの形式に対応した前記ページデータ処理手段を選択するページデータ処理選択手段と、
前記ページデータについて、前記入力手段、ページデータ分類手段、およびページデータ処理手段による処理内容に関するレポートを作成するレポート作成手段と、
を有し、
前記レポート作成手段は、前記ページデータについて、該ページデータの形式に対応して選択された前記ページデータ処理手段が有する前記処理モジュールによる処理内容を含むレポートを作成すること、
を特徴とするラスタライズ処理装置。
【請求項２】
前記複数のページデータ処理手段がそれぞれ複数の処理モジュールを有し、前記レポート作成手段が、前記ページデータについて、該ページデータの形式に対応して選択された前記ページデータ処理手段が有する前記複数の処理モジュール毎による処理内容を含むレポートを作成すること、を特徴とする請求項１に記載のラスタライズ処理装置。
【請求項３】
前記複数のページデータ処理手段それぞれが、前記複数の処理モジュールを選択する処理モジュール選択手段を有し、該処理モジュール選択手段は前記ページデータの形式に対応して前記処理モジュールを選択することにより該ページデータの処理を行い、前記レポート作成手段は、前記ページデータについて、該ページデータの形式に対応して選択された前記ページデータ処理手段、および該ページデータ処理手段が有する該ページデータの形式に対応して選択された処理モジュールによる処理内容を含むレポートを作成すること、を特徴とする請求項２に記載のラスタライズ処理装置。
【請求項４】
前記複数のページデータ処理手段それぞれが、前記複数の処理モジュールを選択する処理モジュール選択手段を有し、該処理モジュール選択手段は前記ページデータの記述に対応して前記処理モジュールを選択することにより該ページデータの処理を行い、前記レポート作成手段は、前記ページデータについて、該ページデータの形式に対応して選択された前記ページデータ処理手段、および該ページデータ処理手段が有する該ページデータの記述に対応して選択された処理モジュールによる処理内容を含むレポートを作成すること、を特徴とする請求項２に記載のラスタライズ処理装置。
【請求項５】
ページ記述言語で記述されたページデータを変換して画像データを出力するラスタライズ処理装置におけるラスタライズ処理レポート作成方法であって、
前記ラスタライズ処理装置に前記ページデータを入力する入力工程と、
前記ラスタライズ処理装置が、入力された前記ページデータの形式に基づいて、前記ページデータの分類を行うページデータ分類工程と、
前記ラスタライズ処理装置が、前記分類されたページデータの形式に対応して備えられた複数のページデータ処理手段のうち一つを選択するページデータ処理選択工程と、
前記ラスタライズ処理装置が、前記ページデータ処理手段選択工程により選択されたページデータ処理手段において、該ページデータ処理手段が有する前記ページデータの処理を行う処理モジュールにより前記ページデータの処理を行うページデータ処理工程と、
前記ラスタライズ処理装置が、前記ページデータについて、前記入力工程、ページデータ分類工程、およびページデータ処理工程による処理内容についてのレポートを作成するレポート作成工程と、
を有し、
前記レポート作成工程は、前記ページデータについて、該ページデータの形式に対応して選択された前記ページデータ処理手段が有する前記処理モジュールによる処理内容を含むレポートを作成すること、
を特徴とするラスタライズ処理装置におけるラスタライズ処理レポート作成方法。
【請求項６】
ページ記述言語で記述されたページデータを変換して画像データを出力するラスタライズ処理プログラムにおけるラスタライズ処理レポート作成プログラムであって、
前記ページデータを入力する入力ステップと、
入力された前記ページデータの形式に基づいて、前記ページデータの分類を行うページデータ分類ステップと、
前記分類されたページデータの形式に対応して備えられた複数のページデータ処理ステップのうち一つを選択するページデータ処理選択ステップと、
前記ページデータ処理選択ステップにより選択されたページデータ処理ステップにおいて、該ページデータ処理ステップが有する前記ページデータの処理を行う処理サブルーチンにより前記ページデータの処理を行うページデータ処理ステップと、
前記ページデータについて、前記入力ステップ、ページデータ分類ステップ、およびページデータ処理ステップによる処理内容についてのレポートを作成するレポート作成ステップと、
を有し、
前記レポート作成ステップは、前記ページデータについて、該ページデータの形式に対応して選択された前記ページデータ処理ステップが有する前記処理サブルーチンによる処理内容を含むレポートを作成すること、を特徴とするラスタライズ処理プログラムにおけるラスタライズ処理レポート作成プログラム。
【請求項７】
ページ記述言語で記述されたページデータを変換して画像データを出力するラスタライズ処理装置と、該ラスタライズ処理装置の動作に関するレポートを作成するレポート作成装置と、からなる製版システムであって、
前記ラスタライズ処理装置が、
前記ページデータを入力する入力手段と、
入力された前記ページデータの形式に基づいて、前記ページデータの分類を行うページデータ分類手段と、
前記ページデータの処理を行う処理モジュールを有する複数のページデータ処理手段と、
前記分類されたページデータの形式に対応した前記ページデータ処理手段を選択するページデータ処理選択手段と、
を有し、
前記レポート作成装置が、
前記ページデータについて、前記ラスタライズ処理装置の入力手段、ページデータ分類手段、およびページデータ処理手段による処理内容に関するレポートを作成するレポート作成手段と、
を有し、
前記レポート作成装置のレポート作成手段は、前記ページデータについて、該ページデータの形式に対応して選択された前記ページデータ処理手段が有する前記処理モジュールによる処理内容を含むレポートを作成すること、を特徴とする製版システム。
【請求項８】
ページ記述言語で記述されたページデータを変換して画像データを出力するラスタライズ処理装置を備えた製版システムにおけるレポート作成装置であって、
前記レポート作成装置が、
前記ページデータについて、前記ラスタライズ処理装置の入力手段、ページデータ分類手段、およびページデータ処理手段による処理内容に関するレポートを作成するレポート作成手段と、
を有し、
前記ページデータについて、該ページデータの形式に対応して選択された前記ページデータ処理手段が有する前記処理モジュールによる処理内容を含むレポートを作成すること、を特徴とするレポート作成装置。
【請求項９】
請求項８に記載のレポート作成装置を一般的なコンピュータで実現するためのプログラム。
【発明の詳細な説明】
【技術分野】
【０００１】
ページ記述言語で記述されたページデータを印刷用の画像データに変換する製版システムのラスタライズ処理装置であって、ページデータの処理内容についてレポートするラスタライズ処理装置、ラスタライズ処理レポート作成方法、およびラスタライズ処理レポート作成プログラムに関する。
【背景技術】
【０００２】
近来の製版工程では、一般的に使用されているパーソナルコンピュータ上で稼働するＤＴＰアプリケーションをフロントエンドプロセッサとして、例えばPostScript（米アドビ・システムズ社の商標）、あるいはＰＤＦ（Portable Document Format）などのページ記述言語で記述されたスクリプトとしてレイアウトデータを作成し、フロントエンドプロセッサで作成されたレイアウトデータの集版、ＲＩＰ（Raster Image Processing）、面付、刷版に対する出力などを、サーバとして動作するコンピュータをバックエンドプロセッサとして実行するワークフロー処理スタイルが適用されつつある。
このバックエンドプロセッサにてＲＩＰ処理を行うラスタライズ処理装置は、ページ記述言語で記述されたレイアウトデータを解釈して、ラスタライズ処理を行うことにより、印刷用の画像データを作成している。このようなラスタライズ処理装置においては、レイアウトデータのラスタライズ化の成否について、ラスタライズ処理装置のオペレータに報告する機能がついていることが普通である。
レイアウトデータのラスタライズ化に成功した場合は、ラスタライズ処理の正常実行がオペレータに報告されると共に、ラスタライズ処理の結果生成された印刷用の画像データが出力される。逆に、ラスタライズ化に失敗した場合は、ラスタライズ処理が失敗したことがオペレータに報告される。レイアウトデータのラスタライズ処理が失敗した場合、ラスタライズ処理装置のオペレータは、該レイアウトデータについて、ラスタライズ処理が失敗した旨の情報を添付して、フロントエンドプロセッサに送信し、レイアウトデータの修正を促すようにしている。
【特許文献１】特許公開平１１−３１０５４号公報
【発明の開示】
【発明が解決しようとする課題】
【０００３】
従来のラスタライズ処理装置は、単一形式のページ記述言語を解釈してラスタライズ処理を行うのが一般的であった。しかし、最近では、前述のPostScriptで記述されたレイアウトデータとＰＤＦ形式のレイアウトデータとをラスタライズ処理できるラスタライズ処理装置や、さらに、既にラスタライズ処理が行なわれた印刷用の画像データを格納したPostScript、あるいは／並びにＰＤＦに対する処理が可能なラスタライズ処理装置が実用化されている。このようなラスタライズ処理装置は、複数形式のページ記述言語や、ラスタライズ処理を行う必要のないレイアウトデータの処理を行うために、複数の処理モジュールが備えられている。ラスタライズ処理装置は、入力されたレイアウトデータの形式／内容に応じて、複数の処理モジュールから実際に処理を行う処理モジュールを適宜選択して、印刷用の画像データ作成を実行する。
【０００４】
このようなラスタライズ処理装置においても、ラスタライズ化の成否についてオペレータに対する報告を行う機能が備えられていることが多い。しかし、このラスタライズ化の成否を報告する機能については、従来のラスタライズ処理装置同様、成否に関わる報告しかできなかった、という問題点があった。すなわち、入力されたレイアウトデータの形式／内容に応じて処理を行うラスタライズ処理装置は、処理に使用する処理モジュールを選択することにより、複数の処理経路を有しているにも関わらず、処理の履歴を報告することなくラスタライズ化の可否のみを報告するので、ラスタライズ化が失敗した場合、入力されたレイアウトデータの形式に不備があったのか、内容に不備があったのかを切り分けることができず、ラスタライズ化失敗への対策を講じることができなかった。
【０００５】
従って、本発明の目的は、入力されたレイアウトデータの形式／内容に応じて処理を行うラスタライズ処理装置であって、ラスタライズ処理の履歴をオペレータに報告することができるラスタライズ処理装置、そのようなラスタライズ処理装置におけるラスタライズ処理レポート作成方法、およびラスタライズ処理レポート作成プログラムを提供することである。
【課題を解決するための手段】
【０００６】
かかる課題を解決する為に、請求項１に係る発明は、ページ記述言語で記述されたページデータを変換して画像データを出力するラスタライズ処理装置であって、前記ページデータを入力する入力手段と、入力された前記ページデータの形式に基づいて、前記ページデータの分類を行うページデータ分類手段と、前記ページデータの処理を行う処理モジュールを有する複数のページデータ処理手段と、前記分類されたページデータの形式に対応した前記ページデータ処理手段を選択するページデータ処理選択手段と、前記ページデータについて、前記入力手段、ページデータ分類手段、およびページデータ処理手段による処理内容に関するレポートを作成するレポート作成手段と、を有し、前記レポート作成手段は、前記ページデータについて、該ページデータの形式に対応して選択された前記ページデータ処理手段が有する前記処理モジュールによる処理内容を含むレポートを作成すること、を特徴としている。
【０００７】
請求項１に記載のラスタライズ処理装置は、入力されたページデータの形式に基づいて分類を行い、該分類に対応するページデータ処理手段を選択してページデータの処理を行い、該ページデータの処理内容に関するレポートを作成するに際して、該ページデータの形式に対応して選択されたページデータ処理手段が有する処理モジュールによる処理内容を含むレポートを作成するので、ページデータの処理を実行したページデータ処理手段、および該ページデータ処理手段が備えた処理モジュールに関わるラスタライズ処理の履歴をオペレータが確認することができる。
【０００８】
また請求項２に係る発明は、請求項１に記載のラスタライズ処理装置であって、前記複数のページデータ処理手段がそれぞれ複数の処理モジュールを有し、前記レポート作成手段が、前記ページデータについて、該ページデータの形式に対応して選択された前記ページデータ処理手段が有する前記複数の処理モジュール毎による処理内容を含むレポートを作成すること、を特徴としている。
【０００９】
請求項２に記載のラスタライズ処理装置は、ページデータの処理内容に関するレポートを作成するに際して、該ページデータの形式に対応して選択されたページデータ処理手段が有する複数の処理モジュール毎による処理内容を含むレポートを作成するので、ページデータの処理を実行したページデータ処理手段、および該ページデータ処理手段が備えた複数の処理モジュール毎に関わるラスタライズ処理の履歴をオペレータが確認することができる。
【００１０】
更に請求項３に係る発明は、請求項２に記載のラスタライズ処理装置であって、前記複数のページデータ処理手段それぞれが、前記複数の処理モジュールを選択する処理モジュール選択手段を有し、該処理モジュール選択手段は前記ページデータの形式に対応して前記処理モジュールを選択することにより該ページデータの処理を行い、前記レポート作成手段は、前記ページデータについて、該ページデータの形式に対応して選択された前記ページデータ処理手段、および該ページデータ処理手段が有する該ページデータの形式に対応して選択された処理モジュールによる処理内容を含むレポートを作成すること、を特徴としている。
【００１１】
請求項３に記載のラスタライズ処理装置は、ページデータの処理内容に関するレポートを作成するに際して、該ページデータの形式に対応して選択されたページデータ処理手段が有する複数の処理モジュールが選択されたことによる処理内容を含むレポートを作成するので、ページデータの処理を実行したページデータ処理手段、および該ページデータ処理手段が備えた複数の処理モジュールが選択されたことに関わるラスタライズ処理の履歴をオペレータが確認することができる。
【００１２】
また請求項４に係る発明は、請求項２に記載のラスタライズ処理装置であって、前記複数のページデータ処理手段それぞれが、前記複数の処理モジュールを選択する処理モジュール選択手段を有し、該処理モジュール選択手段は前記ページデータの記述に対応して前記処理モジュールを選択することにより該ページデータの処理を行い、前記レポート作成手段は、前記ページデータについて、該ページデータの形式に対応して選択された前記ページデータ処理手段、および該ページデータ処理手段が有する該ページデータの記述に対応して選択された処理モジュールによる処理内容を含むレポートを作成すること、を特徴としている。
【００１３】
請求項４に記載のラスタライズ処理装置は、ページデータの処理内容に関するレポートを作成するに際して、該ページデータの記述に対応して選択されたページデータ処理手段が有する複数の処理モジュールが選択されたことによる処理内容を含むレポートを作成するので、ページデータの処理を実行したページデータ処理手段、および該ページデータ処理手段が備えた複数の処理モジュールが選択されたことに関わるラスタライズ処理の履歴をオペレータが確認することができる。
【００１４】
請求項５に係る発明は、ページ記述言語で記述されたページデータを変換して画像データを出力するラスタライズ処理装置におけるラスタライズ処理レポート作成方法であって、前記ラスタライズ処理装置に前記ページデータを入力する入力工程と、前記ラスタライズ処理装置が、入力された前記ページデータの形式に基づいて、前記ページデータの分類を行うページデータ分類工程と、前記ラスタライズ処理装置が、前記分類されたページデータの形式に対応して備えられた複数のページデータ処理手段のうち一つを選択するページデータ処理選択工程と、前記ラスタライズ処理装置が、前記ページデータ処理手段選択工程により選択されたページデータ処理手段において、該ページデータ処理手段が有する前記ページデータの処理を行う処理モジュールにより前記ページデータの処理を行うページデータ処理工程と、前記ラスタライズ処理装置が、前記ページデータについて、前記入力工程、ページデータ分類工程、およびページデータ処理工程による処理内容についてのレポートを作成するレポート作成工程と、を有し、前記レポート作成工程は、前記ページデータについて、該ページデータの形式に対応して選択された前記ページデータ処理手段が有する前記処理モジュールによる処理内容を含むレポートを作成すること、を特徴としている。
【００１５】
請求項５に記載のラスタライズ処理レポート作成方法は、入力されたページデータの形式に基づいて分類を行い、該分類に対応するページデータ処理手段を選択してページデータの処理を行い、該ページデータの処理内容に関するレポートを作成するに際して、該ページデータの形式に対応して選択されたページデータ処理手段が有する処理モジュールによる処理内容を含むレポートを作成するので、ページデータの処理を実行したページデータ処理手段、および該ページデータ処理手段が備えた処理モジュールに関わるラスタライズ処理の履歴をオペレータが確認することができる。
【００１６】
加えて請求項６に係る発明は、ページ記述言語で記述されたページデータを変換して画像データを出力するラスタライズ処理プログラムにおけるラスタライズ処理レポート作成プログラムであって、前記ページデータを入力する入力ステップと、入力された前記ページデータの形式に基づいて、前記ページデータの分類を行うページデータ分類ステップと、前記分類されたページデータの形式に対応して備えられた複数のページデータ処理ステップのうち一つを選択するページデータ処理選択ステップと、前記ページデータ処理選択ステップにより選択されたページデータ処理ステップにおいて、該ページデータ処理ステップが有する前記ページデータの処理を行う処理サブルーチンにより前記ページデータの処理を行うページデータ処理ステップと、前記ページデータについて、前記入力ステップ、ページデータ分類ステップ、およびページデータ処理ステップによる処理内容についてのレポートを作成するレポート作成ステップと、を有し、前記レポート作成ステップは、前記ページデータについて、該ページデータの形式に対応して選択された前記ページデータ処理ステップが有する前記処理サブルーチンによる処理内容を含むレポートを作成すること、を特徴としている。
【００１７】
請求項６に記載のラスタライズ処理レポート作成プログラムは、一般的に使用されているコンピュータにおいて該プログラムを実行することにより、入力されたページデータの形式に基づいて分類を行い、該分類に対応するページデータ処理手段を選択してページデータの処理を行い、該ページデータの処理内容に関するレポートを作成するに際して、該ページデータの形式に対応して選択されたページデータ処理手段が有する処理モジュールによる処理内容を含むレポートを作成するので、ページデータの処理を実行したページデータ処理手段、および該ページデータ処理手段が備えた処理モジュールに関わるラスタライズ処理の履歴をオペレータが確認することができる。
【００１８】
請求項７に係わる発明は、ページ記述言語で記述されたページデータを変換して画像データを出力するラスタライズ処理装置と、該ラスタライズ処理装置の動作に関するレポートを作成するレポート作成装置と、からなる製版システムであって、前記ラスタライズ処理装置が、前記ページデータを入力する入力手段と、入力された前記ページデータの形式に基づいて、前記ページデータの分類を行うページデータ分類手段と、前記ページデータの処理を行う処理モジュールを有する複数のページデータ処理手段と、前記分類されたページデータの形式に対応した前記ページデータ処理手段を選択するページデータ処理選択手段と、を有し、前記レポート作成装置が、前記ページデータについて、前記ラスタライズ処理装置の入力手段、ページデータ分類手段、およびページデータ処理手段による処理内容に関するレポートを作成するレポート作成手段と、を有し、前記ページデータについて、該ページデータの形式に対応して選択された前記ページデータ処理手段が有する前記処理モジュールによる処理内容を含むレポートを作成することを特徴としている。
【００１９】
請求項７に記載の製版システムは、ラスタライズ処理装置において、入力されたページデータの形式に基づいて分類し、該分類に対応するページデータ処理手段を選択して行なわれるページデータの処理について、レポート作成装置が該ページデータの処理内容に関するレポートを作成するので、ページデータの処理に関わるラスタライズ処理の履歴を確認することができる。
【００２０】
また請求項８に係わる発明は、ページ記述言語で記述されたページデータを変換して画像データを出力するラスタライズ処理装置を備えた製版システムにおけるレポート作成装置であって、前記レポート作成装置が、前記ページデータについて、前記ラスタライズ処理装置の入力手段、ページデータ分類手段、およびページデータ処理手段による処理内容に関するレポートを作成するレポート作成手段と、を有し、前記ページデータについて、該ページデータの形式に対応して選択された前記ページデータ処理手段が有する前記処理モジュールによる処理内容を含むレポートを作成することを特徴としている。
【００２１】
請求項８に記載のレポート作成装置は、製版システムが備えるラスタライズ処理装置において、入力されたページデータの形式に基づいて分類を行い、該分類に対応するページデータ処理手段を選択してページデータの処理を行うと、該ページデータの処理内容に関するレポートを作成するので、ページデータの処理関わるラスタライズ処理の履歴を確認することができる。
【００２２】
加えて請求項９に係わる発明は、請求項８に記載のレポート作成装置を一般的なコンピュータで実現するためのプログラムである。
【００２３】
請求項９に記載のプログラムは、一般的なコンピュータにおいて実行されることにより、請求項８に記載のレポート作成装置を実現することができる。
【発明を実施するための最良の形態】
【００２４】
以下、図面を利用しながら、本発明を実施するための最良の形態について、説明を行なう。
【実施例１】
【００２５】
図1は、本発明に係わるラスタライズ処理装置１の構成を説明するための図である。ラスタライズ処理装置１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。
ＣＰＵ１１は、ラスタライズ処理装置１全体を制御するものであり、特にプログラム１６１をメモリ１７において実行することによって、ラスタライズ処理装置１の機能を実現している。
表示部１２は、ラスタライズ処理に必要な情報、および後述する動作によって作成されるラスタライズ処理レポートを表示するために使用される。
入力部１３は、マウスやキーボードなどの入力機器で構成されており、ラスタライズ処理装置１に対してオペレータが指示を入力するために使用する。
ネットワークＩ／Ｆ１４は、ラスタライズ処理装置１と図示しないネットワークとを接続するためのものである。ネットワークＩ／Ｆ１４を介して、ラスタライズ処理装置１はネットワークに接続されている図示しない端末からラスタライズ処理を行うべきページデータＰＤを受信することができる。また、図示しないサーバより、ラスタライズ処理装置１の機能を実現するプログラムをダウンロードすることも可能である。さらに、図示しない出力装置がネットワークを介してラスタライズ処理装置１と接続されている場合には、このネットワークＩ／Ｆ１４を介して、出力装置にページデータＰＤをラスタライズ処理して作成された印刷用の画像データＲＰＤを送信する。
メディアドライブ１５は、メディアディスク１８に記録されているプログラム１６１を読み取るために使用する。メディアドライブ１５で読み取られたプログラム１６１により、ラスタライズ処理装置１の機能が実現される。また、図示しない端末で作成されたページデータＰＤがメディアディスク１８に記録された場合、メディアドライブ１５が該メディアディスク１８を読み取ることにより、ページデータＰＤのオフライン入力が実現する。さらに、メディアドライブ１５は印刷用の画像データＲＰＤをメディアディスク１８に書き込むこともでき、図示しない出力装置に対するオフライン出力を実現することができる。
記憶部１６は、メディアドライブ１５で読み取られたプログラム１６１を格納する。
【００２６】
メモリ１７は、記憶部１６によって記憶されたプログラム１６１をＣＰＵ１１が実行するためのワークエリアである。ＣＰＵ１１によってプログラム１６１が実行された結果、メモリ１７において、ページデータ入力部１７１、ページデータ分類部１７２、複数のページデータ処理部１７３、印刷データ出力部１７４、レポート作成部１７５の機能が実現する。
【００２７】
ページデータ入力部１７１は、図示しないフロントエンドプロセッサで作成されたページデータＰＤを入力する。ページデータＰＤは、フロントエンドプロセッサからネットワークＩ／Ｆ１４乃至メディアドライブ１５を介して、このページデータ入力部１７１によってラスタライズ処理装置１に入力される。入力されたページデータＰＤは、メモリ１７に格納される。また、一時的に記憶部１６に格納するようにしてもよい。記憶部１６にページデータＰＤが格納された場合、後述する処理の際に、記憶部１６より読み出される。
【００２８】
ページデータ分類部１７２は、後述するページデータ処理部１７３における処理のため、ページデータＰＤのヘッダに記述されたページ記述言語の種類や、ページデータＰＤが格納している内容、ページデータＰＤの記述などに基づいてページデータＰＤを分類する。
【００２９】
ページデータ処理部１７３は、ページデータ分類部１７２により振り分けられたページデータＰＤの処理を行う。ページデータ処理部１７３は、ページデータＰＤにおける複数の形式／内容に対応するように、メモリ１７において複数実現される。ページデータ処理部１７３各々は、ページデータＰＤ処理のため、それぞれ一つ以上の処理モジュールを備えている。ここでは、メモリ１７において、ページデータ処理部１７３Ａ、１７３Ｂ、１７３Ｃ、１７３Ｄが実現されているものとする。
【００３０】
ページデータ処理部１７３Ａは、一般的なページ記述言語で記述されたページデータＰＤを処理するためのものであり、ページ記述言語解釈部１７３１Ａ、色変換部１７３２Ａ、版名置換部１７３３Ａ、ラスタライズ部１７３４Ａを備えている。
ページ記述言語解釈部１７３１Ａは、後述する処理のため、ページデータＰＤを記述しているページ記述言語を解釈する。
色変換部１７３２Ａは、ページ記述言語解釈部１７３１Ａによる解釈の結果、色変換が必要な場合に、ページデータＰＤにおいて使用されている色の変換処理を行う。ページデータＰＤ作成時にＲＧＢ方式で色が指定されている場合、そのままでは印刷に供することができないので、使用されている色についてＹＭＣＫ方式に変換しなければならない。色変換部１７３２Ａは、ページデータＰＤの記述に基づいて、色変換を行う。なお、ＲＧＢ→ＹＭＣＫ変換方式にはさまざまな手法があるので、ページデータ処理部１７３Ａは、複数の色変換部１７３２Ａを備えるのが望ましい。
版名置換部１７３３Ａは、ページ記述言語解釈部１７３１Ａによる解釈の結果、版名置換が必要な場合に、ページデータＰＤにおいて使用されている版名の置換処理を行う。ページデータＰＤ作成時にラスタライズ処理装置１において使用不可能な文字が版名に使用されている場合、そのままでは印刷用の画像データＲＰＤに名称を付して出力することができないので、ラスタライズ処理装置１で使用可能な文字を版名に使用しなければならない。版名置換部１７３３Ａは、ページデータＰＤの記述に基づいて、版名の置換を行う。
ラスタライズ部１７３４Ａは、ページ記述言語解釈部１７３１Ａによる解釈に基づいて、ページデータＰＤのラスタライズ処理を行う。
【００３１】
ページデータ処理部１７３Ｂは、ＲＩＰ済画像を格納したページデータＰＤを処理するためのものであり、ページ記述言語解釈部１７３１Ｂ、ＲＩＰ済ページデータ処理部１７３２Ｂを備えている。
ページ記述言語解釈部１７３１Ｂの機能は、ページ記述言語解釈部１７３１Ａと同様なので、説明を省略する。
ＲＩＰ済ページデータ処理部１７３２Ｂは、ページ記述言語解釈部１７３１Ｂによる解釈に基づいて、ページデータＰＤに格納されているのがＲＩＰ済画像である場合に、ページデータＰＤよりＲＩＰ済画像を抽出し、印刷データ出力部１７４へ出力する。
すなわち、ページデータ処理部１７３Ｂでは、ラスタライズ処理装置１におけるラスタライズ処理は実質的に行なわれないことになる。このような処理を、「バイパス処理」と称して、後述するレポート作成部１７５におけるレポート作成時には、この旨がオペレータに報告される。
【００３２】
ページデータ処理部１７３Ｃは、圧縮されているＲＩＰ済画像を格納したページデータＰＤを処理するためのものであり、ページ記述言語解釈部１７３１Ｃ、ＲＩＰ済ページデータ処理部１７３２Ｃを備えている。
ページ記述言語解釈部１７３１Ｃの機能は、ページ記述言語解釈部１７３１Ａ、Ｂと同様なので、説明を省略する。
ＲＩＰ済ページデータ処理部１７３２Ｃは、ページ記述言語解釈部１７３１Ｃによる解釈に基づいて、ページデータＰＤに格納されているのが圧縮されたＲＩＰ済画像である場合に、ページデータＰＤより該圧縮されたＲＩＰ済画像を抽出して解凍／伸張して、印刷データ出力部１７４へ出力する。
やはり、ページデータ処理部１７３Ｃにおいても、ラスタライズ処理装置１におけるラスタライズ処理は実質的に行なわれないことになるので、ページデータ処理部１７３Ｂ同様、このような処理を、「バイパス処理」と称する。
【００３３】
なお、ページデータ処理部１７３Ｂ、１７３Ｃにおけるバイパス処理は、それぞれ異なったページデータ処理部１７３を経ていることから、レポート作成部１７５においては、「ページデータ処理部１７３Ｂを経たバイパス処理」、「ページデータ処理部１７３Ｃを経たバイパス処理」として、それぞれ区別されることになる。
【００３４】
ページデータ処理部１７３Ｄは、ページデータＰＤを記述するページ記述言語がラスタライズ処理装置１では解釈し得ないページ記述言語で記述されている場合、あるいはラスタライズ処理装置１で解釈可能なページ記述言語で記述されていたとしても致命的な欠陥がある場合の処理を行う。
エラー処理部１７３１Ｄは、後述するレポート作成部１７５に対して、ページデータＰＤを記述しているページ記述言語がラスタライズ処理装置１で解釈し得ないこと、あるいはページデータＰＤにおける記述に致命的な欠陥があること、を通知する。
【００３５】
なお、メモリ１７において、ページデータ処理部１７３が実現される数は、４つに限られたものではない。
また、例えば、ページデータ処理部１７３Ａ―１ではPostScriptで記述されたページデータの処理を行い、ページデータ処理部１７３Ａ−２ではInterPress（米ゼロックス社の商標）で記述されたページデータの処理を行うように、ページ記述言語の種類毎にページデータ処理部１７３Ａを複数備えるようにしてもよい。
【００３６】
印刷データ出力部１７４は、ページデータ処理部１７３のいずれかによって処理された結果ページデータＰＤから変換された印刷用の画像データＲＰＤを出力するためのものである。印刷出力データ部１７４から出力された印刷用の画像データＲＰＤは、ネットワークＩ／Ｆ１４、あるいはメディアドライブ１５を介して、ラスタライズ処理装置１の外部へと出力され、図示しない刷版作成装置、あるいは印刷装置における印刷処理に供される。
【００３７】
レポート作成部１７５は、ページデータ入力部１７１、ページデータ分類部１７２、複数のページデータ処理部１７３、印刷データ出力部１７４における処理についての通知を受け、ページデータＰＤの処理に関わるレポートを作成する。レポート作成部１７５は、ページデータＰＤについて、ページデータ入力部１７１における入力の成否、ページデータ分類部１７２における分類結果、複数のページデータ処理部１７３における処理結果、印刷データ出力部１７４における印刷用の画像データＲＰＤの出力の成否について、それぞれの機能部から通知を受けることにより、オペレータに対してページデータＰＤの処理に関わるレポートを作成し、表示部１２に表示する。
また、レポート作成部１７５は、複数のページデータ処理部１７３がそれぞれ備えている複数の処理モジュールそれぞれにおける処理についても通知を受けている。これにより、各ページデータ処理部１７３における内部の処理も含むレポートを作成する。レポート作成部１７５が作成するレポートは、下記のような形式となる。
１）ページデータＰＤの入力の成否
２）ページデータＰＤの分類結果
３）ページデータＰＤの処理内容
３−１）ページデータＰＤ処理時の動作（色変換、版名置換、解凍／伸張、等）
４）印刷用の画像データＲＰＤの出力の成否
なお、レポート作成部１７５が作成したレポートは、ラスタライズ処理装置１に備えられた図示しないプリンタを利用して、印刷するようにしてもよい。また、レポート作成部１７５が作成するレポートの形式は、上記に限られたものではない。
【００３８】
図２は、ラスタライズ処理装置１の動作を説明するためのフローチャートである。
ステップＳ１では、図示しない端末で作成されたページデータＰＤを、ラスタライズ処理装置１に入力する。ネットワークＩ／Ｆ１４、あるいはメディアドライブ１５を介して、ラスタライズ処理装置１のページデータ入力部１７１が、ページデータＰＤの入力を行う。入力されたページデータＰＤは、メモリ１７に一時的に格納する。
【００３９】
ステップＳ２において、ページデータ分類部１７２が、入力されたページデータＰＤの分類を行う。ページデータ分類部１７２は、ページデータＰＤのヘッダ部に記述されたページ記述言語の種類、あるいはページデータＰＤの属性を判別することにより、ページデータＰＤの分類を行う。また、ページデータＰＤの記述内容に基づいて、ページデータＰＤの分類を行うようにしてもよい。ページデータ分類部１７２は、分類したページデータＰＤを、該ページデータＰＤの処理に対応したページデータ処理部１７３に対する振り分けを行う。
【００４０】
ステップＳ３で、ページデータＰＤは、ステップＳ２における分類結果に対応したページデータ処理部１７３で処理が行なわれる。ページデータ処理部１７３は、振り分けられたページデータＰＤに対応した処理を実行して、印刷用の画像データＲＰＤ作成を行う。
【００４１】
ステップＳ４において、印刷データ出力部１７４が、印刷用の画像データＲＰＤを出力する。いずれかのページデータ処理部１７３で作成された印刷用の画像データＲＰＤについて、印刷データ出力部１７４は、ネットワークＩ／Ｆ１４、あるいはメディアドライブ１５を介して、図示しない刷版作成装置、あるいは印刷装置に対して、出力を行う。また、印刷データ出力部１７４が出力した印刷用の画像データＲＰＤを、一時的に記憶部１６に格納するようにしてもよい。
【００４２】
そして、ステップＳ１〜Ｓ４の動作に並行して、ステップＳ５においてレポート作成部１７５が、ステップＳ１〜Ｓ４の動作それぞれに関する動作を検知し、ページデータＰＤの処理に関わるレポートを作成する。レポート作成部１７５は、ページデータ入力部１７１におけるページデータＰＤの入力の成否、ページデータ分類部１７２におけるページデータＰＤの分類結果、分類の結果選択されたページデータ処理部１７３におけるページデータＰＤの処理結果、印刷データ出力部１７４における印刷用の画像データＲＰＤ出力の成否に基づいたレポートを作成する。
【００４３】
図３、図４、図５、図６は、ステップＳ３におけるページデータＰＤの処理について、図１に示したページデータ処理部１７３それぞれに基づいた説明を行うためのフローチャートである。
【００４４】
図３は、ページデータ処理部１７３Ａに対応したページデータＰＤ処理に関わるフローチャートである。
図３のステップＳ３１において、ページ記述言語解釈部１７３１Ａが、ページデータＰＤを記述するページ記述言語を解釈する。ページ記述言語解釈部１７３１Ａは、ページデータＰＤを解釈し、後述する色変換処理、版名置換処理が必要か否かを解釈する。また、後述するラスタライズ処理を行う必要のない画像データがページデータＰＤに格納されている場合には、該画像データを抽出する。
【００４５】
ページデータＰＤ解釈の結果、ステップＳ３２による色変換の有無に関する判断が行なわれる。色変換が必要な場合は、ステップＳ３３へ移行し、色変換部１７３２Ａが、ページデータＰＤにおいて使用されている色の変換を行う。ページデータＰＤ作成時、色指定がＲＧＢ方式で指定されていた場合、そのままでは印刷を行うことができない。そこで、色変換部１７３２Ａが、ページデータＰＤにおける色指定について、ＲＧＢ→ＣＭＹＫ色変換を行うことにより、後述するラスタライズ処理時にＣＭＹＫの４版を作成することができる。ＲＧＢ→ＣＭＹＫ色変換方式としては、例えばページデータＰＤに埋め込まれたプロファイルを使用する方式や、システムのプロファイルを使用する方式、bg/ucr方式、あるいはＲＧＢの０％をＫ１００％に変換する方式などを利用することができる。
なお、ページデータＰＤ解釈の結果、色変換を行う必要がないと判断された場合は、ステップＳ３４へ移行する。
【００４６】
ページデータＰＤ解釈の結果、ステップＳ３４による版名置換の有無に関する判断が行なわれる。版名置換が必要な場合は、ステップＳ３５へ移行し、版名置換部１７３３Ａが、ページデータＰＤの版名の置換を行う。ページデータＰＤ作成時にラスタライズ処理装置１において使用不可能な文字が版名に使用されている場合、そのままでは印刷用の画像データＲＰＤに名称を付して出力することができないので、版名置換部１７３３Ａがラスタライズ処理装置１にて使用可能な版名の置換を行う。版名の置換としては、例えば版名に「＊」が使用されている場合、「＃」に置き換えるなどの処理を行う。
なお、ページデータＰＤ解釈の結果、版名置換を行う必要がないと判断された場合は、ステップＳ３６へ移行する。
【００４７】
ステップＳ３６でラスタライズ部１７３４Ａが、ページデータＰＤのラスタライズ処理を行う。ラスタライズ部１７３４Ａは、ページデータＰＤの記述に基づいて、ラスタライズ処理を行い、印刷用の画像データＲＰＤを作成する。ステップＳ３１によるページデータＰＤ解釈の結果、ラスタライズ化の必要のない画像データが含まれていたならば、このステップで印刷用の画像データＲＰＤとマージされることになる。また、このとき、ラスタライズ処理に加えて、網点化処理を施すようにしてもよい。
ステップＳ３６の処理が終了したならば、ページデータ処理部１７３Ａは、作成した印刷用の画像データＲＰＤを、印刷データ出力部１７４へ転送する。
【００４８】
そして、ステップＳ３１〜Ｓ３６の動作に並行して、ステップＳ３７においてレポート作成部１７５が、ステップＳ３１〜Ｓ３６それぞれに関する動作を検知し、ページデータＰＤの処理に関わるレポートを作成する。レポート作成部１７５は、ページデータ解釈部１７３１ＡによるページデータＰＤの解釈結果、色変換部１７３２ＡによるページデータＰＤの色変換結果、およびその色変換方式、版名置換部１７３３Ａによる版名置換結果、そしてラスタライズ部１７３４Ａによるラスタライズ処理の結果に基づいたレポートを作成する。
【００４９】
図４は、ページデータ処理部１７３Ｂに対応したページデータＰＤの処理に関わるフローチャートである。
ステップＳ４１では、ページ記述言語解釈部１７３１Ｂが、ページデータＰＤを記述するページ記述言語を解釈し、ページデータＰＤのヘッダ部に記述されているページデータＰＤの解像度、格納されたＲＩＰ済画像を作成したアプリケーション、ＲＩＰ済画像のファイル名、画像の解像度と線画の解像度との線比を抽出する。
【００５０】
ステップＳ４２へ移行し、ＲＩＰ済ページデータ処理部１７３２Ｂが、ページ記述言語解釈部１７３１Ｂによる解釈に基づいて、ページデータＰＤに格納されたＲＩＰ済画像を抽出する。抽出されたＲＩＰ済画像は、必要に応じて網点化処理などを施され、印刷用の画像データＲＰＤとして、印刷データ出力部１７４へ出力する。
【００５１】
そして、ステップＳ４１、Ｓ４２の動作に並行して、ステップＳ４３においてレポート作成部１７５が、ステップＳ４１、Ｓ４２それぞれに関する動作を検知し、ページデータＰＤの処理に関わるレポートを作成する。レポート作成部１７５は、ページデータ解釈部１７３１Ｂによって抽出されたページデータＰＤの解像度、作成アプリケーション、ＲＩＰ済画像のファイル名、画像の解像度と線画の解像度との線比、ＲＩＰ済ページデータ処理部１７３２ＢによるＲＩＰ済画像データの抽出の可否に基づいたレポートを作成する。
【００５２】
図５は、ページデータ処理部１７３Ｃに対応したページデータＰＤの処理に関わるフローチャートである。
ステップＳ５１では、ページ記述言語解釈部１７３１Ｃが、ページデータＰＤを記述するページ記述言語を解釈し、ページデータＰＤのヘッダ部に記述されているページデータＰＤの解像度、ＲＩＰ済画像を作成したアプリケーション、ＲＩＰ済画像のファイル名、画像の解像度と線画の解像度との線比、およびＲＩＰ済画像の圧縮方式を抽出する。
【００５３】
ステップＳ５２では、ＲＩＰ済ページデータ処理部１７３２Ｃが、ページ記述言語解釈部１７３１Ｃによる解釈に基づいて、ページデータＰＤに格納された圧縮されたＲＩＰ済画像を抽出して解凍／伸張する。抽出されたＲＩＰ済画像は、必要に応じて網点化処理などを施され、印刷用の画像データＲＰＤとして、印刷データ出力部１７４へ出力する。
【００５４】
そして、ステップＳ５１、Ｓ５２の動作に並行して、ステップＳ５３においてレポート作成部１７５が、ステップＳ５１、Ｓ５２それぞれに関する動作を検知し、ページデータＰＤの処理に関わるレポートを作成する。レポート作成部１７５は、ページデータ解釈部１７３１Ｃによって抽出されたページデータＰＤの解像度、作成アプリケーション、ＲＩＰ済画像のファイル名、画像の解像度と線画の解像度との線比、圧縮方式、ＲＩＰ済ページデータ処理部１７３２ＣによるＲＩＰ済画像データの抽出の可否に基づいたレポートを作成する。
【００５５】
図６は、ページデータ処理部１７３Ｄに対応したページデータＰＤの処理に関わるフローチャートである。
ページデータ分類部１７２により、ページデータＰＤを記述するページ記述言語がラスタライズ処理装置１では解釈し得ないページ記述言語で記述されている場合、あるいはラスタライズ処理装置１で解釈可能なページ記述言語で記述されていたとしても致命的な欠陥がある場合、ページデータ処理部１７３Ｄによる処理が行なわれ、エラー処理部１７３１Ｄが、レポート作成部１７５に対して、ページデータＰＤを記述しているページ記述言語がラスタライズ処理装置１で解釈し得ないこと、あるいはページデータＰＤにおける記述に致命的な欠陥があること、を通知する（ステップＳ６１）。
レポート作成部１７５は、エラー処理部１７３１Ｄの通知を受けて、レポートを作成する（ステップＳ６２）
【００５６】
図７は、ページデータＰＤをラスタライズ処理装置１が処理した結果、レポート作成部１７５が作成するレポートの一例を示すための図である。
【００５７】
図７（ａ）は、ページ記述言語「PDL_A」で記述されたページデータＰＤを示している。このページデータＰＤは、ファイル名が「page1.pdl」であり、左下点を原点として、ｘ＝１００、ｙ＝１００（単位はｍｍ）の位置に、半径１００ｍｍ、Ｒ１００％、Ｇ１００％の色の円を描き、ｘ＝２００、ｙ＝２００の位置にＸ（縦）＝５０ｍｍ、Ｙ（横）１００ｍｍであり、Ｇ５０％、Ｂ５０％の色を有する矩形を描くような記述がなされている。
また、色変換について、ページデータＰＤ中に、ＹＭＣＫに変換する際には「bg/ucr」変換を行うよう指定されており、ラスタライズ処理の結果作成すべき版名として、「page1y*.bmp」、「page1m*.bmp」、「page1c*.bmp」、「page1k*.bmp」というファイルを作成することが指定されている。
【００５８】
図７（ａ）に示したページデータＰＤについて、致命的なエラーがなく、ＲＩＰ済画像データ、もしくは圧縮されたＲＩＰ済画像データが格納されていないことから、ラスタライズ処理装置１がページデータ処理部１７３Ａによる処理を実行した結果、レポート作成部１７５は図７（ｂ）に示すようなレポートを作成する。
【００５９】
図７（ｂ）では、レポート作成部１７５が作成したレポートとして、「入力レポート」、「色変換レポート」、「版名置換レポート」、「ラスタライズレポート」、「出力レポート」が示されている。レポート作成部１７５が作成したレポートは、それぞれ表示部１２に表示される。
【００６０】
このように、ラスタライズ処理装置１のオペレータは、表示部１２に表示されたレポートを参照して、ページデータＰＤに関するラスタライズ処理の成否を確認することができ、しかもラスタライズ処理過程についても分析することができる。
【００６１】
図８は、ページデータＰＤをラスタライズ処理装置１が処理した結果、レポート作成部１７５が作成するレポートの別例を示すための図である。
【００６２】
図８（ａ）もまた、ページデータＰＤであり、図７（ａ）とほぼ同内容であるが、左下点を原点としてｘ＝３００、ｙ＝３００の位置に、「dog.bmp」にて示される画像を配置するよう記述されている点が、図７（ａ）に示したページデータＰＤとは異なっている。
【００６３】
図８（ｂ）に示したページデータＰＤについても、致命的なエラーがなく、ＲＩＰ済画像データ、もしくは圧縮されたＲＩＰ済画像データが格納されていないことから、ラスタライズ処理装置１がページデータ処理部１７３Ａによる処理を実行する。このとき、ページデータ処理部１７３Ａは、ラスタライズを行わなくてもよい「dog.bmp」がページデータＰＤに格納されていることから、ページデータ解釈部１７３１Ａが該「dog.bmp」を抽出し、ラスタライズ部１７３４Ａが、ラスタライズを行ったページデータＰＤにマージ処理を行う。
【００６４】
その結果、レポート作成部１７５は、図８（ｂ）に示すようなレポートを作成する。図８（ｂ）に示されたレポートは、図７（ｂ）に示したレポートとほぼ同内容であるが、「ラスタライズレポート」については、「dog.bmp」を印刷用の画像データＲＰＤにマージした旨がレポートされている。すなわち、ページデータ処理部１７３Ａで行なわれた処理がページデータＰＤごとに異なる場合においても、レポート作成部１７５はそれに応じたレポートを作成している。
【００６５】
図９は、ページデータＰＤがＲＩＰ済画像を格納した場合に、レポート作成部１７５が作成するレポートの例を示すための図である。
【００６６】
図９（ａ）は、ページ記述言語「PDL_A」で記述されたページデータＰＤであって、ＲＩＰ済画像を格納している。図９（ａ）に示すように、ページデータＰＤはそのヘッダに、ページデータＰＤの解像度、格納されたＲＩＰ済画像を作成したアプリケーション、ＲＩＰ済画像のファイル名、画像の解像度と線画の解像度との線比が記述されている。ここでは、ページデータＰＤのファイル名が「page3.pdl」であり、解像度が「４００(dpi)」、ＲＩＰ済画像を作成したアプリケーションの名称が「RIPimager」であり、格納されているＲＩＰ済画像の名称が「RIPPED.bmp」であり、画像の解像度と線画の解像度との比が「３５０／２４００(dpi)」とされている。
【００６７】
このようなページデータＰＤをページデータ処理部１７３Ｂが処理した結果、レポート作成部１７５が作成したレポートが、図９（ｂ）に示されている。図示しているように、「ラスタライズレポート」については、ページデータＰＤにＲＩＰ済画像が格納されていたので、バイパス処理が行なわれた旨のレポートが作成されており、該ＲＩＰ済画像に関する情報がレポートに含まれている。
【００６８】
このように、ラスタライズ処理装置１のオペレータは、表示部１２に表示されたレポートを参照して、ページデータＰＤに格納されたＲＩＰ済画像に関する情報を確認することができるので、該ＲＩＰ済画像の内容に問題があった場合に、上流に遡って修正を行うことが可能となる。
【００６９】
従って、図１に示したラスタライズ処理装置１が、図２に示したフローチャートのような動作を行うことにより、ページデータＰＤの処理を実行したページデータ処理部１７３、および該ページデータ処理部１７３が備えた処理モジュールに関わるラスタライズ処理の履歴をオペレータが確認することができる。
「変形例」
図６において、ページデータＰＤがラスタライズ処理装置１で処理が不可能だった場合を説明したが、エラー内容によっては、ラスタライズ処理装置１で処理可能な場合もある。図１０（ａ）は、そのような場合におけるラスタライズ処理装置１の動作を説明するための図である。
【００７０】
ステップＳ１０１では、ページデータ分類部１７２によってページデータＰＤにエラーがあると分類された結果、ページデータ処理部１７３Ｄにおけるエラー処理が行なわれる。
【００７１】
ステップＳ１０２で、ページデータ処理部１７３Ｄが、ページデータＰＤのエラーについて、致命的なものか否かを判断する。ページデータＰＤのエラーが致命的な場合は、図６と同様の処理を行う。ページデータＰＤのエラーが致命的なものでないと判断した場合、ページデータ処理部１７３Ｄは、ページデータＰＤを該ページデータＰＤの内容に対応したページデータ処理部１７３のいずれかに転送する。
【００７２】
ステップＳ１０３において、ページデータ処理部１７３Ｄから転送されたページデータＰＤを、ページデータ処理部１７３のいずれかにおいて、処理を行う。
【００７３】
そして、ステップＳ１０１〜１０３の動作に並行して、ステップＳ１０４においてレポート作成部１７５が、ステップＳ１０１〜１０３それぞれに関する動作を検知し、ページデータＰＤの処理に関わるレポートを作成する。
【００７４】
図１０（ｂ）は、図１０（ａ）に示したフローチャートのような動作の結果、レポート作成部１７５が作成したレポートを示すための図である。ここでは、ページ記述言語「PDL_A」で記述された「page4.pdl」というページデータＰＤに対する処理結果のレポートを示している。「page4.pdl」は、図８（ａ）に示した「page2.pdl」と同様の記述が為されているが、「dog.bmp」にて示される画像が配置されるよう指定されているにも関わらず、「dog.bmp」に関するデータが格納されていないページデータＰＤである。
図示しているように、「入力レポート」の後に「エラーレポート」が作成されており、エラーの内容が表示されている。そして、エラーが致命的ではなかったことから、ページデータ処理が実行されたことを示すレポートが作成されている。
【００７５】
このように、ラスタライズ処理装置１のオペレータは、表示部１２に表示されたレポートを参照して、ページデータＰＤに関するエラーの内容を確認することができ、合わせてラスタライズ処理の成否についても確認することができ、しかもラスタライズ処理過程についても分析することができる。
【００７６】
また、これまでは、ラスタライズ処理装置１の内部にレポート作成部１７５が存在する構成について説明を行ってきたが、レポート作成部１７５を別のコンピュータで実現するようにしてもよい。
【００７７】
図１１は、ラスタライズ処理装置１の外部にレポート作成機能を有するレポート作成装置１０が接続された製版システム１００の構成を説明するための図である。
【００７８】
レポート作成装置１０は、一般的なコンピュータにて、レポート作成機能を実行するプログラム１６１０を実行することにより、実現されるものであり、ＣＰＵ１１０、表示部１２０、入力部１３０、ネットワークＩ／Ｆ１４０、メディアドライブ１５０、記憶部１６０、メモリ１７０を備えている。
ＣＰＵ１１０は、レポート作成装置１０全体を制御する。特に、ＣＰＵ１１０が、プログラム１６１０をメモリ１７０において実行することによって、レポート作成装置１０の機能を実現している。
表示部１２０は、レポート作成に必要な情報、および作成されたラスタライズ処理レポートを表示するために使用される。
入力部１３０は、マウスやキーボードなどの入力機器で構成されており、レポート作成装置１０に対してオペレータが指示を入力するために使用する。
ネットワークＩ／Ｆ１４０は、レポート作成装置１０とネットワークＮとを接続するためのものである。ネットワークＩ／Ｆ１４０を介して、レポート作成装置１０はネットワークに接続されているラスタライズ処理装置１から、レポート作成のために必要なデータを受信することができる。また、図示しないサーバより、レポート作成装置１０の機能を実現するプログラム１６１０をダウンロードすることも可能である。
メディアドライブ１５０は、メディアディスク１８０に記録されているプログラム１６１０を読み取るために使用する。メディアドライブ１５０で読み取られたプログラム１６１０により、レポート作成装置１０の機能が実現される。
記憶部１６０は、メディアドライブ１５０で読み取られたプログラム１６１０を格納する。
【００７９】
メモリ１７０は、記憶部１６０によって記憶されたプログラム１６１０をＣＰＵ１１０が実行するためのワークエリアである。ＣＰＵ１１０によってプログラム１６１０が実行された結果、メモリ１７０において、レポート作成部１７１０の機能が実現する。
【００８０】
レポート作成部１７１０は、ラスタライズ処理装置１におけるラスタライズ処理の通知を受け、ページデータＰＤの処理に関わるレポートを作成し、表示部１２０へ表示する。なお、レポート作成部１７１０が作成したレポートは、レポート作成装置１０に備えられた図示しないプリンタを利用して、印刷するようにしてもよい。
【００８１】
このような図１１に示したレポート作成装置１０であっても、ラスタライズ処理装置１におけるラスタライズ処理の履歴を確認することができる。
【図面の簡単な説明】
【００８２】
【図１】ラスタライズ処理装置１の構成を説明するための図である。
【図２】ラスタライズ処理装置１の動作を説明するためのフローチャートである。
【図３】ページデータ処理部１７３Ａの動作を説明するためのフローチャートである。
【図４】ページデータ処理部１７３Ｂの動作を説明するためのフローチャートである。
【図５】ページデータ処理部１７３Ｃの動作を説明するためのフローチャートである。
【図６】ページデータ処理部１７３Ｄの動作を説明するためのフローチャートである。
【図７】レポート作成部１７５によるレポート作成の一例を示すための図である。
【図８】レポート作成部１７５によるレポート作成の別例を示すための図である。
【図９】レポート作成部１７５によるレポート作成の別例を説明するための図である。
【図１０】レポート作成部１７５によるレポート作成の変形例を説明するための図である。
【図１１】製版システム１００を説明するための図である。
【符号の説明】
【００８３】
１  ラスタライズ処理装置
１０  レポート作成装置
１１、１１０  ＣＰＵ
１２、１２０  表示部
１３、１３０  入力部
１４、１４０  ネットワークＩ／Ｆ
１５、１５０  メディアドライブ
１６、１６０  記憶部
１７、１７０  メモリ
１８、１８０  メディアディスク
１００  製版システム
１６１、１６１０  プログラム
１７１  ページデータ入力部
１７２  ページデータ分類部
１７３、１７３Ａ、１７３Ｂ、１７３Ｃ、１７３Ｄ  ページデータ処理部
１７４  印刷データ出力部
１７５、１７１０  レポート作成部
１７３１Ａ、１７３１Ｂ、１７３１Ｃ  ページデータ解釈部
１７３１Ｄ  エラー処理部
１７３２Ａ  色変換部
１７３２Ｂ、１７３２Ｃ  ＲＩＰ済ページデータ処理部
１７３３Ａ  版名置換部
１７３４Ａ  ラスタライズ部
【図１】
2005190034.tif 000003
【図２】
2005190034.tif 000004
【図３】
2005190034.tif 000005
【図４】
2005190034.tif 000006
【図５】
2005190034.tif 000007
【図６】
2005190034.tif 000008
【図７】
2005190034.tif 000009
【図８】
2005190034.tif 000010
【図９】
2005190034.tif 000011
【図１０】
2005190034.tif 000012
【図１１】
2005190034.tif 000013